(57)【要約】【課題】運転車両の安全性を向上させるドライブレコーダを提供する。【解決手段】ドライブレコーダは、データ処理ユニット１、データメモリユニット２、車両外部撮像ユニット３、画像表示ユニット４、切換表示ユニット５、制御ユニット６及び給電ユニット７を備える。データメモリユニット２は、データ処理ユニット１と電気的に接続される。車両外部撮像ユニット３は、データ処理ユニット１と電気的に接続される。画像表示ユニット４は、データ処理ユニット１と電気的に接続され、画像表示・投射装置４３を含むか、画像表示装置４２及びヘッドアップディスプレイ４１を含む。切換表示ユニット５は、データ処理ユニット１と電気的に接続され、画像表示ユニット４の表示状態を制御する。制御ユニット６は、データ処理ユニット１と電気的に接続される。給電ユニット７は、データ処理ユニット１と電気的に接続される。【選択図】図１
0003190559.tif 000002
【実用新案登録請求の範囲】
【請求項１】
データ処理ユニット、データメモリユニット、車両外部撮像ユニット、画像表示ユニット、切換表示ユニット、制御ユニット及び給電ユニットを備えたドライブレコーダであって、
前記データメモリユニットは、前記データ処理ユニットと電気的に接続され、
前記車両外部撮像ユニットは、前記データ処理ユニットと電気的に接続され、
前記画像表示ユニットは、前記データ処理ユニットと電気的に接続され、画像表示・投射装置を含むか、画像表示装置及びヘッドアップディスプレイを含み、
前記切換表示ユニットは、前記データ処理ユニットと電気的に接続され、前記画像表示ユニットの表示状態を制御し、
前記制御ユニットは、前記データ処理ユニットと電気的に接続され、
前記給電ユニットは、前記データ処理ユニットと電気的に接続されることを特徴とするドライブレコーダ。
【請求項２】
前記データ処理ユニットと電気的に接続されるとともに、携帯型通信装置無線通信ユニット及びデータ受信のビデオ製作ユニットを含む無線通信ユニットをさらに備えることを特徴とする請求項１に記載のドライブレコーダ。
【請求項３】
前記ヘッドアップディスプレイはマイクロプロジェクタであることを特徴とする請求項１に記載のドライブレコーダ。
【請求項４】
前記ヘッドアップディスプレイはマイクロプロジェクタであることを特徴とする請求項２に記載のドライブレコーダ。
【請求項５】
前記データ処理ユニットと電気的に接続されるとともに、車速センサユニットを含むナビゲーションユニットをさらに備えることを特徴とする請求項１乃至４の何れかに記載のドライブレコーダ。
【請求項６】
前記車両外部撮像ユニットは、車道偏移センサユニット及び前方衝突センサユニットの一方又は両方を含むことを特徴とする請求項１乃至４の何れかに記載のドライブレコーダ。
【請求項７】
前記車両外部撮像ユニットは、車道偏移センサユニット及び前方衝突センサユニットの一方又は両方を含むことを特徴とする請求項５に記載のドライブレコーダ。
【請求項８】
車両のフロントガラスに配設され、前記画像表示ユニットの画像を反射させるリフレクタをさらに備えることを特徴とする請求項１乃至４の何れかに記載のドライブレコーダ。
【請求項９】
車両のフロントガラスに配設され、前記画像表示ユニットの画像を反射させるリフレクタをさらに備えることを特徴とする請求項５に記載のドライブレコーダ。
【請求項１０】
車両のフロントガラスに配設され、前記画像表示ユニットの画像を反射させるリフレクタをさらに備えることを特徴とする請求項６に記載のドライブレコーダ。
【考案の詳細な説明】
【技術分野】
【０００１】
本考案は、ドライブレコーダに関し、特に、運転車両の安全性を向上させるドライブレコーダに関する。
【背景技術】
【０００２】
現在、運転中に起こした事故などの証拠を残すために、ドライブレコーダがメーカにより開発され市販されている。一般にドライブレコーダは、記録した画像を表示したり、その他提示又は警告情報を表示したりする表示装置を有するが、表示装置は、ドライブレコーダの本体に取り付けられているのが一般的である。そのため、ドライバは表示装置に表示された画像又は提示又は警告情報を見る際、頭部をドライブレコーダが取り付けられている方向へ向けなければならず、その場合、車両の進行方向からドライバの視線が離れるため安全性に問題があった。また、一般にドライブレコーダが取り付けられる箇所はドライバの前方であるため、ドライバの前方の視線が部分的に遮られて安全性に問題があった。そのため、運転車両の安全性を向上させることができるドライブレコーダが求められていた。
【考案の概要】
【考案が解決しようとする課題】
【０００３】
本考案の目的は、運転車両の安全性を向上させるドライブレコーダを提供することにある。
【課題を解決するための手段】
【０００４】
上記課題を解決するために、本考案の第１の形態によれば、データ処理ユニット、データメモリユニット、車両外部撮像ユニット、画像表示ユニット、切換表示ユニット、制御ユニット及び給電ユニットを備えたドライブレコーダであって、前記データメモリユニットは、前記データ処理ユニットと電気的に接続され、前記車両外部撮像ユニットは、前記データ処理ユニットと電気的に接続され、前記画像表示ユニットは、前記データ処理ユニットと電気的に接続され、画像表示・投射装置を含むか、画像表示装置及びヘッドアップディスプレイを含み、前記切換表示ユニットは、前記データ処理ユニットと電気的に接続され、前記画像表示ユニットの表示状態を制御し、前記制御ユニットは、前記データ処理ユニットと電気的に接続され、前記給電ユニットは、前記データ処理ユニットと電気的に接続されることを特徴とするドライブレコーダが提供される。
【０００５】
前記データ処理ユニットと電気的に接続されるとともに、携帯型通信装置無線通信ユニット及びデータ受信のビデオ製作ユニットを含む無線通信ユニットをさらに備えることが好ましい。
【０００６】
前記ヘッドアップディスプレイはマイクロプロジェクタであることが好ましい。
【０００７】
前記ヘッドアップディスプレイはマイクロプロジェクタであることが好ましい。
【０００８】
前記データ処理ユニットと電気的に接続されるとともに、車速センサユニットを含むナビゲーションユニットをさらに備えることが好ましい。
【０００９】
前記車両外部撮像ユニットは、車道偏移センサユニット及び前方衝突センサユニットの一方又は両方を含むことが好ましい。
【００１０】
前記車両外部撮像ユニットは、車道偏移センサユニット及び前方衝突センサユニットの一方又は両方を含むことが好ましい。
【００１１】
車両のフロントガラスに配設され、前記画像表示ユニットの画像を反射させるリフレクタをさらに備えることが好ましい。
【００１２】
車両のフロントガラスに配設され、前記画像表示ユニットの画像を反射させるリフレクタをさらに備えることが好ましい。
【００１３】
車両のフロントガラスに配設され、前記画像表示ユニットの画像を反射させるリフレクタをさらに備えることが好ましい。
【考案の効果】
【００１４】
本考案のドライブレコーダは、運転車両の安全性を向上させることができる。
【図面の簡単な説明】
【００１５】
【図１】図１は、本考案の一実施形態に係るドライブレコーダを示すブロック図である。
【考案を実施するための形態】
【００１６】
以下、本考案の実施形態について図に基づいて説明する。なお、これによって本考案が限定されるものではない。
【００１７】
図１を参照する。図１は、本考案の一実施形態に係るドライブレコーダを示すブロック図である。図１に示すように、本考案の一実施形態に係るドライブレコーダは、少なくともデータ処理ユニット１、データメモリユニット２、車両外部撮像ユニット３、画像表示ユニット４、切換表示ユニット５、制御ユニット６及び給電ユニット７から構成される。データ処理ユニット１は、ドライブレコーダの各ユニットのデータを受け取って計算した後、データを各関連ユニットへ伝送し、前記ユニットが動作を行う中央処理装置である。データメモリユニット２は、内部メモリ（例えば、ＲＡＭ又はＲＯＭ）又は外部メモリ（例えば、メモリカード又はフラッシュディスク）であり、データ処理ユニット１と電気的に接続される。データメモリユニット２（例えば、ＲＡＭ、メモリカード又はフラッシュディスク）は、データ処理ユニット１によりビデオデータ、オーディオデータ又はその他関連するデータを記憶するか、データメモリユニット２（例えば、ＲＯＭ）に記憶したデータによりデータ処理ユニット１に関連作業を行わせる。車両外部撮像ユニット３は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）又はＣＣＤ（Ｃｈａｒｇｅ  Ｃｏｕｐｌｅｄ  Ｄｅｖｉｃｅ）であり、データ処理ユニット１と電気的に接続される。車両外部撮像ユニット３は、車両外部の画像（例えば、車両のフロントガラスの外側、リアガラスの外側又は車窓の外側）をキャプチャし、データ処理ユニット１へ送信してデータメモリユニット２へ記憶させる。画像表示ユニット４は、データ処理ユニット１と電気的に接続され、車両外部撮像ユニット３がキャプチャした画像その他の情報を表示させる。画像表示ユニット４は、画像表示・投射装置４３を含み、例えば、（タッチセンサ式）液晶表示装置又は（タッチセンサ式）発光ダイオード表示装置でもよい。画像表示・投射装置４３は、直立時に車両のドライバが画像を直接見ることができるように表示させる。画像表示・投射装置４３を横たわらせると、車両のフロントガラスに画像が投射されて車両のドライバへ反射される。画像表示ユニット４は、画像表示装置４２及びヘッドアップディスプレイ４１を含んでもよい。画像表示装置４２には、直立時に車両のドライバから直接見られるように画像が表示される（タッチセンサ式）液晶表示装置又は（タッチセンサ式）ＬＥＤ表示装置でもよい。画像表示装置４２を横たわらせたり回転を変えると、ヘッドアップディスプレイ４１により画像を車両のフロントガラスへ投射して車両のドライバへ反射させる。切換表示ユニット５は、データ処理ユニット１と電気的に接続された物理的な切換スイッチでもよい。切換表示ユニット５は、データ処理ユニット１により画像表示ユニット４の表示状態を制御することができる。例えば、切換表示ユニット５は、画像表示・投射装置４３が直立時の画像の表示／非表示を切換えたり、画像表示・投射装置４３を横たわらせたときの画像の反射／非反射を切換えたり、切換表示ユニット５を介して画像表示装置４２で画像を表示したり、ヘッドアップディスプレイ４１により画像を表示したり、画像表示装置４２及びヘッドアップディスプレイ４１に��り同時に画像を表示したり、画像表示装置４２及びヘッドアップディスプレイ４１共に画像を表示させないようにしたりする。また、切換表示ユニット５は、画像表示ユニット４と連動する。例えば、画像表示ユニット４が画像表示・投射装置４３を含む場合、画像表示・投射装置４３が直立したときに、切換表示ユニット５は、画像表示・投射装置４３により車両のドライバから直接見えるように画像を表示させる。画像表示・投射装置４３を横たわらせる場合、切換表示ユニット５は、画像表示・投射装置４３により車両のフロントガラスへ画像を投射して車両のドライバへ反射させる。また、例えば、画像表示ユニット４が画像表示装置４２及びヘッドアップディスプレイ４１を含む場合、画像表示装置４２を直立させると、切換表示ユニット５により画像表示装置４２に画像を表示して車両のドライバに見せることができる。画像表示装置４２を横たわらせるか方向を変えると、切換表示ユニット５により画像表示装置４２に画像が表示されなくなり、ヘッドアップディスプレイ４１により車両のフロントガラスへ画像が投射されると、車両のドライバへ反射される。制御ユニット６は、電源スイッチ、録画スイッチ、停止スイッチ、早送りスイッチ、巻き戻しスイッチ、設定スイッチ、入力スイッチなどを含み、データ処理ユニット１と電気的に接続される。制御ユニット６には、物理的スイッチ、又は画像表示ユニット４に表示するバーチャルスイッチが含まれてもよい。給電ユニット７は、ドライブレコーダの内部の電池又は外部の電源（例えば、タバコ用着火装置と電気的に接続された電気コネクタ）であり、データ処理ユニット１と電気的に接続されてもよい。給電ユニット７は、ドライブレコーダの各ユニットの動作に必要な電力を供給する。また、本考案のドライブレコーダは、ハウジングを含み、ハウジング内には、データ処理ユニット１、データメモリユニット２及び給電ユニット７（例えば電池）が配設されてもよい。車両外部撮像ユニット３は、ハウジング内に配設され、ハウジング上に配設されたレンズにより車両外部の画像をキャプチャする。画像表示・投射装置４３は、ハウジング上に枢着されてハウジング上で画像表示・投射装置４３を直立させたり横たわらせたり回転させたりすることができる。画像表示装置４２は、ハウジング上に枢着されてハウジング上で直立させたり横たわらせたり回転させたりしてもよいし、或いは画像表示装置４２をハウジング上に直接固着させたりしてもよい。ヘッドアップディスプレイ４１、切換表示ユニット５、制御ユニット６（物理的スイッチ）及び給電ユニット７（例えば、タバコ用着火装置と電気的に接続された電気コネクタ）は、ハウジング上に配設されてもよい。
【００１８】
上述したことから分かるように、本考案のドライブレコーダは、画像表示・投射装置４３又はヘッドアップディスプレイ４１を介して車両のフロントガラスへ画像を投射すると、車両のドライバへ反射させるため、ドライバは、従来のように頭を下げて表示装置で表示された情報を見る必要がなく、車両運転の安全性を向上させることができる。
【００１９】
図１を参照する。図１に示すように、本考案の一実施形態に係るドライブレコーダは、無線通信ユニット８を含む。無線通信ユニット８は、データ処理ユニット１と電気的に接続されてハウジング内に配設される。無線通信ユニット８は、無線通信回路でもよく、外部の無線装置と各種無線通信方式を介して電気的に接続される。本考案のドライブレコーダは、データ処理ユニット１及び無線通信ユニット８により外部の無線装置へデータを無線で伝送させる。例えば、データを無線で伝送して、遠隔の無線サーバへデータを記憶させる。また、本考案のドライブレコーダは、無線通信ユニット８及びデータ処理ユニット１を介して外部の無線装置から本考案のドライブレコーダのデータメモリユニット２へデータを無線伝送して記憶させたり画像表示ユニット４により表示したりする。例えば、ナビゲーション機能を有する無線装置は、画像データを本考案のドライブレコーダへ無線で伝送してナビゲーションしたり速度制限の提示又は警告を行う。また、無線通信ユニット８は、携帯型通信装置無線通信ユニット８１と、データ受信のビデオ製作ユニット８２と、を含む。本実施形態のドライブレコーダは、データ処理ユニット１及び携帯型通信装置無線通信ユニット８１により外部の無線携帯通信装置へデータを無線で伝送する。例えば、外部の無線携帯通信装置へデータを無線で伝送してデータを記憶させたり表示したりする。また、本実施形態のドライブレコーダは、携帯型通信装置無線通信ユニット８１及びデータ処理ユニット１により外部の無線携帯通信装置から通信データ（例えば、着信表示、不在着信、ショートメッセージ、イーメールなど）を本考案のドライブレコーダのデータメモリユニット２へ無線で伝送して記憶させたり、画像表示ユニット４により表示させたりする。データ受信のビデオ製作ユニット８２は、処理回路でもよく、外部の無線装置又は外部の無線携帯通信装置がドライブレコーダの無線通信ユニット８又は携帯型通信装置無線通信ユニット８１へ伝送するデータを、データ処理ユニット１により映像に変換してドライブレコーダのデータメモリユニット２に記憶させたり画像表示ユニット４で表示させたりする。
【００２０】
図１を参照する。図１に示すように、本実施形態に係るドライブレコーダのヘッドアップディスプレイ４１は、車両のフロントガラスへ画像を投射してはっきりと表示するマイクロプロジェクタでもよい。
【００２１】
図１を参照する。図１に示すように、上述のドライブレコーダには、データ処理ユニット１と電気的に接続されてハウジング内に配設されるナビゲーションユニット９が含まれてもよい。ナビゲーションユニット９は、グローバル・ポジショニング・システム及び地図データを含む。この構成により、本考案のドライブレコーダは、ナビゲーションを行いながら、ナビゲーション情報を画像表示・投射装置４３、画像表示装置４２又はヘッドアップディスプレイ４１に表示させる。また、ナビゲーションユニット９は車速センサユニット９１を含む。この車速センサユニット９１は処理回路でもよい。この構成により、本考案のドライブレコーダは、速度制限の提示又は警告情報を画像表示・投射装置４３、画像表示装置４２又はヘッドアップディスプレイ４１に表示させて速度制限の提示又は警告を行う。
【００２２】
図１を再び参照する。図１に示すように、本考案の一実施形態に係るドライブレコーダの車両外部撮像ユニット３は、車道偏移センサユニット３１及び前方衝突センサユニット３２の一方又は両方を含んでもよい。車道偏移センサユニット３１は、処理回路であり、ハウジング内に配設されてもよい。前方衝突センサユニット３２は、処理回路であり、ハウジング内に配設されてもよい。この構成により、ドライブレコーダは、車両偏移警告情報又は車両衝突警告情報を画像表示・投射装置４３、画像表示装置４２又はヘッドアップディスプレイ４１に表示し、車両が偏位したり、前方の物体に衝突したりすることを防ぐ。
【００２３】
上述のドライブレコーダには、画像表示ユニット４の画像を反射させて車両のドライバからはっきり見ることができるように車両のフロントガラスに配設されるリフレクタ（図示せず）が含まれてもよい。
【００２４】
図１を参照する。図１に示すように、本実施形態のドライブレコーダには、収音・再生ユニット１０１、データ出力・入力ユニット１０２、補助光ユニット１０３及びそれらの組合せが含まれていてもよい。収音・再生ユニット１０１は、ハウジング上に配設された音声信号の受信・再生を行うマイクロフォン及びスピーカでもよい。データ出力・入力ユニット１０２は、ハウジング上に配設されて有線で外部装置と接続され、データ伝送を行う電気コネクタでもよい。補助光ユニット１０３は、ハウジング上に配設され、車両外部撮像ユニット３により車両外部の画像をキャプチャする各種発光源でもよい。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  データ処理ユニット、２  データメモリユニット、３  車両外部撮像ユニット、４  画像表示ユニット、５  切換表示ユニット、６  制御ユニット、７  給電ユニット、８  無線通信ユニット、９  ナビゲーションユニット、３１  車道偏移センサユニット、３２  前方衝突センサユニット、４１  ヘッドアップディスプレイ、４２  画像表示装置、４３  画像表示・投射装置、８１  携帯型通信装置無線通信ユニット、８２  データ受信のビデオ製作ユニット、９１  車速センサユニット、１０１  収音・再生ユニット、１０２  データ出力・入力ユニット、１０３  補助光ユニット。
【図１】
0003190559.tif 000003